(57)【要約】【課題】液晶表示パネルに組み込んだ光検知部が液晶表示パネル用駆動信号に影響を受けることがなく正確な光検知が可能な液晶表示装置を提供すること。【解決手段】  アクティブマトリクス基板２とカラーフィルタ基板２５との間に液晶層１４が設けられた液晶表示パネルと、外光を検知する光センサを有する光検知部ＬＳと、光検知部の出力により制御される照光手段とを備え、アクティブマトリクス基板２の表示領域ＤＡ周縁部には前記光検知部を配置し、またカラーフィルタ基板２５には光検知部と対向する位置にアース電極９を配置し、アクティブマトリクス基板２とカラーフィルタ基板との間に接地用トランスファ電極を設けて、アース電極は接地用トランスファ電極８によりアクティブマトリクス基板２に配設したアース線７に接続されている。【選択図】        図４
2007102026.tif 000002
【特許請求の範囲】
【請求項１】
アクティブマトリクス基板とカラーフィルタ基板との間に液晶層が設けられた液晶表示パネルと、外光を検知する光センサを有する光検知部と、前記光検知部の出力により制御される照光手段とを備えた液晶表示装置において、前記アクティブマトリクス基板の表示領域周縁部には前記光検知部を配置し、また前記カラーフィルタ基板には前記光検知部と対向する位置にアース電極を配置し、前記アクティブマトリクス基板と前記カラーフィルタ基板との間に接地用トランスファ電極を設けて、前記アース電極は前記接地用トランスファ電極により前記アクティブマトリクス基板に配設したアース線に接続されていることを特徴とする液晶表示装置。
【請求項２】
前記アース電極は、導電性を有する透明材料で形成されていることを特徴とする請求項１に記載の液晶表示装置。
【請求項３】
前記光検知部は、前記アクティブマトリクス基板の製造工程において同時に形成された光センサとしての薄膜電界効果トランジスタを備えていることを特徴とする請求項１に記載の液晶表示装置。
【請求項４】
前記光検知部は、前記薄膜電界効果トランジスタのソース電極とドレイン電極との間に接続されるコンデンサ及び前記ソース電極と所定の定電圧源との間に接続されるスイッチ素子とを有し、前記コンデンサ及びスイッチ素子が前記液晶表示パネルに集積化されており、前記薄膜電界効果トランジスタのゲート電極に逆バイアス電圧を印加しつつ前記スイッチ素子をオフにしてから所定時間後のコンデンサの電圧を出力するものであることを特徴とする請求項３に記載の液晶表示装置。
【請求項５】
前記光検知部には、閾値記憶部及び比較部を備えた制御手段を接続し、前記制御手段により、通常動作モード時には、前記光検知部の出力と前記閾値記憶部に格納されている閾値を前記比較部にて比較し、この比較結果に基づいて前記照光手段のオン／オフ制御を行い、初期設定モード時には、前記光センサに基準となる光を照射しつつ、前記光検知部の出力を前記閾値記憶部に格納するようにしたことを特徴とする請求項１〜４のいずれかに記載の液晶表示装置。
【請求項６】
前記照光手段は、バックライト又はサイドライトであり、前記液晶表示装置は透過型又は半透過型液晶表示装置であることを特徴とする請求項１〜５のいずれかに記載の液晶表示装置。
【請求項７】
前記照光手段は、フロントライトであり、前記液晶表示装置は反射型液晶表示装置であることを特徴とする請求項１〜５のいずれかに記載の液晶表示装置。
【発明の詳細な説明】
【技術分野】
【０００１】
本発明は、液晶表示装置に関し、特にバックライトやフロントライト等の光源を有する液晶表示装置において、外光の明るさに応じて自動的に光源の明るさを変えることができる液晶表示装置に関するものである。
【背景技術】
【０００２】
近年、情報通信機器のみならず一般の電気機器においても液晶表示装置の適用が急速に普及している。特に、携帯型のものは、消費電力を減少させるために、透過型液晶表示装置のようなバックライトないしはサイドライト（以下、両者をまとめて「バックライト等」という）を必要としない反射型の液晶表示装置が多く用いられているが、この反射型液晶表示装置は、外光を光源として用いるので暗い室内などでは見え難くなってしまうために、フロントライトを使用したもの（下記特許文献１参照）や、透過型と反射型の性質を併せ持つ半透過型の液晶表示装置の開発が進められてきている（下記特許文献２参照）。
【０００３】
例えば、フロントライトを使用した反射型液晶表示装置は、暗い場所においてはフロントライトを点灯させて画像を表示し、明るい場所ではフロントライトを点灯させることなく外光を利用して画像を表示することができるので、常時フロントライトを点灯する必要がなく、消費電力を大幅に削減することができる。また、半透過型液晶表示装置は、一つの画素内に透明電極を備えた透過部と反射電極を備えた反射部を有しており、暗い場所においてはバックライト等を点灯して画素領域の透過部を利用して画像を表示し、明るい場所においてはバックライト等を点灯することなく反射部において外光を利用して画像を表示しているため、この場合も常時バックライト等を点灯する必要がなくなるので、消費電力を大幅に低減させることができるという利点を有している。
【０００４】
上述のような反射型液晶表示装置や半透過型液晶表示装置においては、外光の強さにより液晶表示画面の見えやすさが異なる。このため、エンドユーザは、液晶表示画面を見やすくするために、外光の強さに応じてバックライト等ないしはフロントライトを点灯すべきレベルであるか否かを自ら判断してバックライト等ないしはフロントライトを点灯、減灯ないしは消灯するという煩雑な操作を行う必要があった。更に、外光の明るさが十分である時にも、不必要にバックライト等ないしはフロントライトを点灯してしまう場合があり、このような場合には、無駄な消費電力が増大するため、携帯電話機等の携帯型の機器においては電池の消耗が早くなるという問題点が顕在する。
【０００５】
このような問題点に対処するため従来技術として、光センサを液晶表示装置に設け、この光センサによって外光の明暗を検知し、光センサの検知結果に基づいてバックライト等のオン／オフを制御する発明が知られている（下記特許文献３〜５参照）。
【０００６】
下記特許文献３に開示された液晶表示装置は、液晶表示パネルの基板上に光センサを有する光検知部を配置したもので、光センサとして薄膜電界効果トランジスタ（ＴＦＴ）を用い、このＴＦＴ光センサを液晶表示パネルのＴＦＴと同時に作成し、このＴＦＴ光センサの光リーク電流を検知することにより、周囲の明るさに応じてバックライトを自動的にオン／オフさせるようにしたものである。また、下記特許文献４の液晶表示装置は、光センサとしてフォトダイオードを使用し、周囲の明るさに応じてバックライトとしての発光ダイオードに温度保証した電流を供給するようにしたものである。
【０００７】
更に、下記特許文献５のものは、バックライトないし機器の動作表示手段として使用されている発光ダイオードを光センサと兼用し、周囲の明るさに応じた発光ダイオードの起電力に基づいてバックライトの点灯を制御するようにしたものである。
【特許文献１】特開２００２−１３１７４２号公報（特許請求の範囲、図１〜図３）
【特許文献２】特開２００１−３５０１５８号公報（特許請求の範囲、図４）
【特許文献３】特開２００２−１３１７１９号公報（特許請求の範囲、段落［００１０］〜［００１３］、図１）
【特許文献４】特開２００３−２１５５３４号公報（特許請求の範囲、段落［０００７］〜［００１９］、図１〜図３）
【特許文献５】特開２００４−００７２３７号公報（特許請求の範囲、段落［００２３］〜［００２８］、図１）
【発明の開示】
【発明が解決しようとする課題】
【０００８】
しかしながら、上記特許文献３に記載されている液晶表示装置のように、光検知部のＴＦＴセンサと液晶表示パネル用のＴＦＴとを基板上に同時に作成して光検知部を表示パネルに組み込むと、通常、このＴＦＴ光センサは、表示パネルの画素部に近接したところに設けられる。ところが、このＴＦＴ光センサが画素部に近接したところに設けられると、この画素部の向かい側基板に対向電極が配設されているので、このＴＦＴ光センサも対向電極と対向することになる。このようにＴＦＴ光センサが対向電極に対向すると、この対向電極には、通常数ボルトの矩形波からなる対向電極電圧が印加されているので、この矩形波電圧が光センサの検知信号に影響してしまい誤動作の原因となる。
【０００９】
また、これまでの液晶表示装置は、光センサにより周囲の明るさを検知してバックライト等を自動的にオン／オフさせるのに、予め定めた所定の明るさでバックライト等を自動的にオン／オフさせるようになしている。この場合、別途フォトダイオード等の光センサを用意して液晶表示装置に組み込む場合には、光センサをその特性に応じて選別することができるので、光センサの特性バラツキを余り考慮しないですむ。しかしながら、上記特許文献３の液晶表示装置のように液晶表示パネルにＴＦＴ光センサを組み込み、或いは上記特許文献５に開示されている発明のようにバックライトないし機器の動作表示手段として使用されている発光ダイオードを光センサとして兼用する場合には、それぞれの光センサの特性バラツキが大きいため、必ずしも予め定めた所定の明るさでバックライト等を自動的にオン／オフさせることができないという問題がある。このため、固定の閾値でバックライト等のオン／オフを認識させてしまうと、個々の製品によりバックライト等が点灯／消灯する明るさが異なるため、液晶表示装置としては都合が悪くなる。更にこれまでの液晶表示装置は、エンドユーザが個々の好みの周囲の明るさでバックライト等を自動的にオン／オフできるように設定することは考慮されていなかった。
【００１０】
本発明は、このような不都合を解消するためになされたもので、本発明の目的は、液晶表示パネルに組み込んだ光検知部が液晶表示パネル用駆動信号により影響を受けることがないようにした液晶表示装置を提供することにある。
また、本発明の他の目的は、光センサの特性のバラツキを補正して予め定めた所定の明るさでバックライト等を自動的にオン／オフ制御できるようにするとともに、エンドユーザが任意の周囲の明るさでバックライト等を自動的にオン／オフできるように設定することができるようにした液晶表示装置を提供することにある。
【課題を解決するための手段】
【００１１】
本発明の上記目的は以下の構成により達成し得る。すなわち、請求項１に記載の液晶表示装置の発明は、アクティブマトリクス基板とカラーフィルタ基板との間に液晶層が設けられた液晶表示パネルと、外光を検知する光センサを有する光検知部と、前記光検知部の出力により制御される照光手段とを備えた液晶表示装置において、前記アクティブマトリクス基板の表示領域周縁部には前記光検知部を配置し、また前記カラーフィルタ基板には前記光検知部と対向する位置にアース電極を配置し、前記アクティブマトリクス基板と前記カラーフィルタ基板との間に接地用トランスファ電極を設けて、前記アース電極は前記接地用トランスファ電極により前記アクティブマトリクス基板に配設したアース線に接続されていることを特徴とする。
【００１２】
また、請求項２に記載の発明は、請求項１に記載の液晶表示装置において、前記アース電極は、導電性を有する透明材料で形成されていることを特徴とする。
【００１３】
また、請求項３に記載の発明は、請求項１に記載の液晶表示装置において、前記光検知部は、前記アクティブマトリクス基板の製造工程において同時に形成された光センサとしての薄膜電界効果トランジスタを備えていることを特徴とする。
【００１４】
また、請求項４に記載の発明は、請求項３に記載の液晶表示装置において、前記光検知部は、前記薄膜電界効果トランジスタのソース電極とドレイン電極との間に接続されるコンデンサ及び前記ソース電極と所定の定電圧源との間に接続されるスイッチ素子とを有し、前記コンデンサ及びスイッチ素子が前記液晶表示パネルに集積化されており、前記薄膜電界効果トランジスタのゲート電極に逆バイアス電圧を印加しつつ前記スイッチ素子をオフにしてから所定時間後のコンデンサの電圧を出力するものであることを特徴とする。
【００１５】
また、請求項５に記載の発明は、請求項１〜４のいずれかに記載の液晶表示装置において、前記光検知部には、閾値記憶部及び比較部を備えた制御手段を接続し、前記制御手段により、通常動作モード時には、前記光検知部の出力と前記閾値記憶部に格納されている閾値を前記比較部にて比較し、この比較結果に基づいて前記照光手段のオン／オフ制御を行い、初期設定モード時には、前記光センサに基準となる光を照射しつつ、前記光検知部の出力を前記閾値記憶部に格納するようにしたことを特徴とする。
【００１６】
また、請求項６に記載の発明は、請求項１〜５のいずれかに記載の液晶表示装置において、前記照光手段は、バックライト又はサイドライトであり、前記液晶表示装置は透過型又は半透過型液晶表示装置であることを特徴とする。
【００１７】
また、請求項７に記載の発明は、請求項１〜５のいずれかに記載の液晶表示装置において、前記照光手段は、フロントライトであり、前記液晶表示装置は反射型液晶表示装置であることを特徴とする。
【発明の効果】
【００１８】
本発明は上記のような構成を備えることにより以下に述べるような優れた効果を奏する。すなわち、請求項１の発明によれば、アクティブマトリクス基板の表示領域周縁部上に配置した光検知部は、カラーフィルタ基板上に設けたアース電極と対向し、このアース電極は接地用トランスファ電極によりアース線に接続されているので、光検知部はカラーフィルタ基板の対向電極に印加された電圧の影響を受けることがなくなり誤動作を防止できる。また、光検知部は、アクティブマトリクス基板とカラーフィルタ基板との間に位置するので外部に露出することがなくなり物等の衝突による破損を防止できる。
【００１９】
また、請求項２の発明によれば、請求項１の効果に加え、アース電極は導電性を有する透明材料で形成されているので、外光検出の障害になることがなくなる。また、透明電極に対向電極と同じ材料を使用すると、この透明電極を対向電極と同時に作成できるのでアース電極の作成が簡単になる。
【００２０】
また、請求項３の発明によれば、光センサとしての薄膜電界効果トランジスタは、アクティブマトリクス基板のスイッチング素子としての薄膜電界効果トランジスタ製造時に同時に製造することができるため、光センサを設けるために特に製造工数を増加させる必要がなくなる。
【００２１】
また、請求項４の発明によれば、光センサとしての薄膜電界効果トランジスタ、コンデンサ及びスイッチ素子が集積化されているために光検知部を小型化できる。加えて、薄膜電界効果トランジスタのゲート電極に逆バイアス電圧を印加した際の漏れ電流は光の強度に依存するから、スイッチ素子をオフにしてから所定時間後のコンデンサの電圧を測定することにより簡単かつ高感度に光の強度を検知することができる。
【００２２】
また、請求項５の発明によれば、光センサに特性のバラツキがあっても、初期設定モード時に基準となる光を照射することにより校正されているので、正確に予め定めた所定の明るさで照光手段を自動的にオン／オフ制御できるようになる。しかも、基準となる光はエンドユーザが任意に選択できるから、エンドユーザが任意の周囲の明るさでバックライト等を自動的にオン／オフできるように設定することができる。
【００２３】
また、請求項６及び７の発明によれば、それぞれ透過型液晶表示装置ないしは半透過型液晶表示装置（請求項６）の場合、或いは反射型液晶表示装置（請求項７）の場合でも、同様に請求項１〜５に係る発明の効果を奏する液晶表示装置が得られる。
【発明を実施するための最良の形態】
【００２４】
以下、本発明を実施するための最良の形態を図面を用いて詳細に説明するが、以下に述べる実施例は、本発明の技術思想を具体化するための液晶表示装置として半透過型液晶表示装置を例示するものであって、本発明をこの実施例に特定することを意図するものではなく、本発明は特許請求の範囲に示した技術思想を逸脱することなく種々の変更を行ったものにも均しく適用し得るものである。
【００２５】
最初に、光センサとしての薄膜電界効果トランジスタ（以下、ＴＦＴ光センサという）の動作原理及び駆動回路について図１〜図３を用いて説明する。なお、図１はＴＦＴ光センサの電圧−電流曲線の一例を示す図であり、図２はＴＦＴ光センサを使用した光検知部の回路図であり、また、図３は明るさが異なる場合の図２に示した回路図におけるコンデンサの両端の電圧−時間曲線を示す図である。
【００２６】
ＴＦＴ光センサは、実質的にアクティブマトリクス型液晶表示パネルのスイッチング素子として用いられているＴＦＴと同一の構成を備えている。このＴＦＴ光センサは、図１に示したように、遮光されている場合にはゲートオフ領域で非常に僅かな暗電流が流れているが、チャネル部に光が当たるとその光の強さ（明るさ）に応じて漏れ電流が大きくなるという特性を有している。したがって、図２の光検知部ＬＳの回路図に示したように、ＴＦＴ光センサのゲート電極ＧＬにゲートオフ領域となる一定の逆バイアス電圧（例えば−１０Ｖ）を印加し、ドレイン電極ＤＬとソース電極ＳＬとの間にコンデンサＣを並列に接続し、一定の基準電圧Ｖｓ（例えば＋２Ｖ）をスイッチ素子ＳＷをオンにしてコンデンサＣの両端に印加した後、スイッチ素子ＳＷをオフにすると、コンデンサＣの両端の電圧はＴＦＴ光センサの周囲の明るさに応じて図３に示したように時間とともに低下する。したがって、スイッチ素子ＳＷをオフにしてから所定時間ｔ０後にコンデンサＣの両端の電圧を測定すれば、その電圧とＴＦＴ光センサの周囲の明るさとの間に反比例関係が成立するので、ＴＦＴ光センサの周囲の明るさを求めることができる。
【００２７】
次に、本発明の実施例に係る光センサを組み込んだ半透過型液晶表示装置を図４〜図６を用いて説明する。なお、図４は液晶表示装置のカラーフィルタ基板を透視して表したアクティブマトリクス基板を模式的に示した平面図、図５は図４のＸ−Ｘ線で切断した断面図、図６は図４のＹ−Ｙ線で切断した断面図である。
【００２８】
液晶表示装置１は、図５に示すように、表面にＴＦＴ等を搭載した透明な絶縁性を有する材料、例えばガラス基板からなるアクティブマトリクス基板（以下、ＴＦＴ基板という）２と、表面にカラーフィルタ等が形成されたカラーフィルタ基板（以下、ＣＦ基板という）２５との間に液晶層１４が形成された構成を有している。
【００２９】
このうちＴＦＴ基板２は、その表示領域ＤＡにゲート線４及びソース線５がマトリクス状に形成されており、ゲート線４とソース線５で囲まれる部分に画素電極１２が形成され、ゲート線４とソース線５の交差部に画素電極１２と接続されたスイッチング素子としてのＴＦＴが形成されている（図７参照）。そして、光検知部ＬＳは、後述するように表示領域ＤＡ内に形成されるＴＦＴ光センサから構成される。なお、各配線、スイッチング素子であるＴＦＴ及び画素電極等は、図５においてこれらを模式的に第１構造物３として示し、具体的な構成は図７〜図９に示して後述する。
【００３０】
ＴＦＴ基板２は、図４に示すように、その短辺部に液晶表示装置１を駆動するための画像供給装置（図示せず）と接続するためのフレキシブル配線基板ＦＰＣが設けられ、このフレキシブル配線基板ＦＰＣは画像供給装置からのデータ線及び制御線をドライバＩＣに接続している。そしてＶＣＯＭ信号、ソース信号、ゲート信号はドライバＩＣ内で生成され、それぞれ液晶表示パネル上のコモン線１１、ソース線５、ゲート線４に接続される。また、このフレキシブル配線基板ＦＰＣには、アース線７が配設され、このアース線７はドライバＩＣに接続されると共に、表示領域ＤＡの外周囲に配線されて、接地用トランスファ電極８及びコンタクト材８ａを介してＣＦ基板のアース電極９に接続されている（図６参照）。
【００３１】
また、ＴＦＴ基板２の四隅には、接地用トランスファ電極８とは別に複数のトランスファ電極１０１〜１０４が設けられている。これらのトランスファ電極１０１〜１０４はコモン線１１を介して互いに直接接続ないしはドライバＩＣ内で互いに接続されて同電位となるようになっている。そして、トランスファ電極１０１〜１０４は後述する対向電極２６とコンタクト材１０ａを介して電気的に接続され、これによりドライバＩＣから出力される対向電極電圧が対向電極２６に印加されるようになっている。
【００３２】
ＣＦ基板２５は、図５に示すように、ガラス基板の表面にＲ（赤）、Ｇ（緑）、Ｂ（青）等の複数色からなるカラーフィルタと、ブラックマトリクスが形成されている。このＣＦ基板はＴＦＴ基板２に対向配置されるとともに、ブラックマトリクスが少なくともＴＦＴ基板２のゲート線やソース線に対応する位置に配置され、このブラックマトリクスによって区画された領域にカラーフィルタが設けられている。これらカラーフィルタ等の具体的な構成は図示しないが、図５ではこれらを模式的に第２構造物２７として示してある。
【００３３】
また、ＣＦ基板２５には、更に酸化インジウム、酸化スズ等で構成された透明材料からなる対向電極２６がＴＦＴ基板２に形成される光検知部ＬＳと対向する箇所を除く表示領域ＤＡに全体を覆うように形成されている。また、光検知部ＬＳに対向する箇所にはアース電極９が形成されている（図６参照）。
【００３４】
シール材６は、ＴＦＴ基板２の表示領域ＤＡの周囲に注入口（図示せず）を除いて塗布されている。このシール材６は、例えばエポキシ樹脂等の熱硬化性樹脂に絶縁性粒体のフィラを混入したものである。また、コンタクト材８ａ、１０ａは表面に金属メッキが施された導電性粒子と熱硬化性樹脂とから構成される。
【００３５】
両基板２、２５を貼り合わせるときは以下の手順で行なわれる。まず、ＴＦＴ基板２を第１のディスペンサ装置にセットしてシール材６を所定パターンで塗布し、次にＴＦＴ基板２を第２のディスペンサ装置にセットしてコンタクト材８ａ、１０ａをトランスファ電極１０１〜１０４上及び接地用トランスファ電極８上に塗布する。その後、ＴＦＴ基板２の表示領域ＤＡにスペーサ１５を均一に散布し、ＣＦ基板２５のシール材６やコンタクト材１０ａが当接する部分に仮止め用接着剤を塗布する。その後、ＴＦＴ基板２とＣＦ基板２５を貼り合わせ、仮止め用接着剤を硬化させて仮止めが完了する。そして、仮止めされた両基板２、２５を加圧しながら加熱処理するとシール材６及びコンタクト材８ａ、１０ａの熱硬化性樹脂が硬化し、空の液晶表示パネルが完成する。この空の液晶表示パネル内に注入口（図示せず）から液晶を注入し、この注入口を封止剤で塞ぐと液晶表示装置１が完成する。なお、ＴＦＴ基板２の下方には、図示しない周知の光源、導光板、拡散シート等を有するバックライトないしはサイドライトが配置されている。
【００３６】
次に、この液晶表示装置の画素構成を図７〜図８を参照して説明する。なお、図７は液晶表示装置のＣＦ基板２５を透視して表した１画素分の平面図、図８はＣＦ基板２５を含む図７のＡ−Ａ断面図である。
【００３７】
ＴＦＴ基板２の表示領域ＤＡ上には、アルミニウムやモリブデン等の金属からなる複数のゲート線４が等間隔で平行に形成されており、また、隣り合うゲート線４間の略中央にはゲート線４と同時に補助容量線１６が平行に形成され、ゲート線４からはＴＦＴのゲート電極Ｇが延設されている。
【００３８】
更に、ＴＦＴ基板２上には、ゲート線４、補助容量線１６、ゲート電極Ｇを覆うようにして窒化シリコンや酸化シリコンなどからなるゲート絶縁膜１７が積層されている。そして、ゲート電極Ｇの上にはゲート絶縁膜１７を介して非晶質シリコンや多結晶シリコンなどからなる半導体層１９が形成され、またゲート絶縁膜１７上にはアルミニウムやモリブデン等の金属からなる複数のソース線５がゲート線４と直交するようにして形成されており、このソース線５からはＴＦＴのソース電極Ｓが延設され、このソース電極Ｓは半導体層１９と接触している。更に、ソース線５及びソース電極Ｓと同一の材料でかつ同時形成されたドレイン電極Ｄがゲート絶縁膜１７上に設けられており、このドレイン電極Ｄも半導体層１９と接触している。
【００３９】
ここで、ゲート線４とソース線５とに囲まれた領域が１画素に相当する。そしてゲート電極Ｇ、ゲート絶縁膜１７、半導体層１９、ソース電極Ｓ、ドレイン電極Ｄによってスイッチング素子となるＴＦＴが構成され、それぞれの画素にこのＴＦＴが形成されている。この場合、ドレイン電極Ｄと補助容量線１６によって各画素の補助容量を形成することになる。これらのソース線５、ＴＦＴ、ゲート絶縁膜１７を覆うようにして例えば無機絶縁材料からなる保護絶縁膜１８が積層され、この保護絶縁膜１８上に、有機絶縁膜からなる層間膜２０が積層されている。この層間膜２０の表面は、反射部Ｒには微細な凹凸部が形成され、透過部Ｔは平坦となっている。なお、図８においては反射部Ｒにおける層間膜２０の凹凸部は省略してある。そして保護絶縁膜１８と層間膜２０には、ＴＦＴのドレイン電極Ｄに対応する位置にコンタクトホール１３が形成されている。また、それぞれの画素において、コンタクトホール１３上及び層間膜２０の表面の一部分には、反射部Ｒに例えばアルミニウム金属からなる反射電極Ｒ０が設けられ、この反射電極Ｒ０の表面及び透過部Ｔにおける層間膜２０の表面には例えばＩＴＯからなる画素電極１２が形成されている。
【００４０】
次に、光検知部の構成及びその動作を図９、図１０を用いて説明する。なお、図９は基板上の光検知部の断面図、図１０は制御手段を構成するブロック図である。
【００４１】
光検知部ＬＳの回路構成は、図２の光検知ＬＳと同じで動作も同じである。また光検知部ＬＳは、ＴＦＴ基板２の表示領域ＤＡ内に表示用ＴＦＴの作成と同時に作成される。そして、ＣＦ基板２５の対向電極は、光検知部ＬＳに対向する部分に形成されず、代わってアース電極８が形成されている（図６）。
【００４２】
この光検知部ＬＳは、ＴＦＴ光センサ、コンデンサＣ及びＴＦＴからなるスイッチ素子ＳＷで構成されている。この光検知部ＬＳには、ＴＦＴ基板２の表面にＴＦＴ光センサのゲート電極ＧＬ、コンデンサＣの一方の電極Ｃ１及びスイッチ素子ＳＷを構成するＴＦＴのゲート電極ＧＳが形成されており、これらの表面を覆うようにして窒化シリコンや酸化シリコンなどからなるゲート絶縁膜１７が積層されている。ＴＦＴ光センサのゲート電極ＧＬの上及びスイッチ素子ＳＷを構成するＴＦＴのゲート電極ＧＳの上には、それぞれゲート絶縁膜１７を介して非晶質シリコンや多結晶シリコンなどからなる半導体層１９Ｌ及び１９Ｓが形成され、またゲート絶縁膜１７上にはアルミニウムやモリブデン等の金属からなるＴＦＴ光センサのソース電極ＳＬ及びドレイン電極ＤＬ、スイッチ素子ＳＷを構成するＴＦＴのソース電極ＳＳ及びドレイン電極ＤＳがそれぞれの半導体層１９Ｌ及び１９Ｓと接触するように設けられている。このうち、ＴＦＴ光センサのソース電極ＳＬ及びスイッチ素子ＳＷを構成するＴＦＴのドレイン電極ＤＳは互いに延長されて接続されてコンデンサＣの他方の電極Ｃ２を形成している。更に、ＴＦＴ光センサ、コンデンサＣ及びＴＦＴからなるスイッチ素子ＳＷの表面を覆うようにして例えば無機絶縁材料からなる保護絶縁膜１８が積層されており、また、ＴＦＴからなるスイッチ素子ＳＷの表面には、外部光の影響を受けないようにするために、ブラックマトリクス２１が被覆されている。したがって、このように光検知部ＬＳをＴＦＴ基板２に形成し、この光検知部ＬＳをＣＦ基板２５のアース電極９と対向させることにより、対向電極２６に印加された対向電極電圧によって光検知部が影響されることがなくなる。
【００４３】
この光検知部ＬＳの出力は、図１０に示すように、バックライト制御手段１Ａに入力されて照光手段のオン／オフ制御がされる。センサ制御部３０により制御されてスイッチ素子ＳＷを構成するＴＦＴのソース電極ＳＳに一定の基準電圧Ｖｓ（たとえば＋２Ｖ）が印加され、同じくゲート電極ＧＳにＴＦＴをオン／オフするための電圧（例えば±１０Ｖ）が切換印加され、更にＴＦＴ光センサのゲート電極ＧＬにはＴＦＴ光センサをゲートオフ領域で作動させるための一定の電圧（例えば−１０Ｖ）が印加される。そして、光検知部ＬＳの出力はセンサ制御部３０で処理されて比較部３３の一方の端に入力されるとともに、モード制御部３１にも入力される。
【００４４】
モード制御部３１は、外部からの入力信号により通常動作モードと初期設定モードとを切換えるものであり、初期設定モード時にはセンサ制御部３０の出力を閾値記憶部３２に入力して記憶させ、通常動作モード時にはセンサ制御部３０の出力を遮断するようになされており、また、閾値記憶部３２は記憶している閾値を比較部３３の他方の端子へ出力するようにされている。
【００４５】
そして、通常動作モード時には、比較部３３は、センサ制御部３０からの入力信号と閾値記憶部３２からの入力信号とを比較し、センサ制御部３０からの入力信号が閾値記憶部３２に記憶されている閾値よりも大きい（明るい）場合にはスイッチング部３４を介してバックライト等３５を消灯し、逆にセンサ制御部３０からの入力信号が閾値記憶部３２に記憶されている閾値よりも小さい（暗い）場合にはスイッチング部３４を介してバックライト等３５を点灯するようになされている。初期設定モードが選択された場合は、モード制御部３１において、センサ制御部３０からの出力を閾値記憶部３２に記憶するようになされているため、ＴＦＴ光センサに予め定めた明るさの光を照射することによりその光の明るさに対応する閾値を記憶させることができる。
【００４６】
また、初期設定モードが選択された場合は、センサ制御部３０からの出力を閾値記憶部３２に記憶するようになされているため、ＴＦＴ光センサに予め定めた明るさの光を照射することによりその光の明るさに対応する閾値を記憶させることができる。したがって、光センサの光−電気特性にバラツキがあっても、バックライト等を予め定めた明るさを境として正確にオン／オフ制御することができるようになる。
【００４７】
この場合、予め定めた明るさの光は製造工程で一律に定めてもよく、あるいはエンドユーザが好みに応じて適宜の明るさで自動的にバックライト等をオン／オフ制御できるようにしてもよい。なお、比較部３３として、頻繁にバックライト等がオン／オフ制御されないようにするため、オンになるときの明るさとオフになるときの明るさを変える、すなわちヒステリシス特性を持たせてもよい。このヒステリシス特性は比較部３３にヒステリシスコンパレータを備えることにより簡単に達成することができる。
【００４８】
また、光センサは、一つだけでなく、複数個用いることもできる。すなわち、複数のＴＦＴ光センサの出力を平均化して使用したり、あるいは一方のＴＦＴ光センサを完全遮光して暗基準値として用いて他方の遮光しないＴＦＴ光センサの出力との差分を取ることにより、明るさの測定精度を向上させることができる。
【００４９】
なお、本実施例では、光検知部ＬＳのＴＦＴ光センサを、液晶表示パネルのスイッチング素子として用いられているＴＦＴと同時に製造することができるようにするために、ＴＦＴ基板２の表示領域ＤＡ内の隅部に設けた例を示したが、表示領域ＤＡ外の周辺部に設けてもよい。また、光検知部ＬＳのＴＦＴ光センサを、液晶表示パネルのスイッチング素子として用いられているＴＦＴと同時に製造する必要がなければ、液晶表示パネルの外部に設けて液晶表示パネルとは別途配線手段により電気的に接続するようにしてもよい。この場合、別途光センサの製造工数が増加するが、光センサの設置場所を自由に設定できるようになる。また、本実施例では、センサ制御部３０、比較部３３、モード制御部３１、閾値記憶部３２、スイッチング部３４は、液晶表示装置１のドライバＩＣに組み込むこともできる。さらに閾値記憶部３２は液晶表示装置１内部に設けなくてもよいが、この場合は液晶表示装置１の電源立ち上げ時に外部の閾値記憶部３２を有するホストＰＣ等から液晶表示装置１を初期化するように構成されていればよい。
【００５０】
なお、反射電極Ｒ０を省略すると透過型液晶表示装置が得られ、逆にこの反射電極を画素電極１２の下部全体にわたって設けると反射型液晶表示装置が得られる。ただし、反射型液晶表示装置の場合は、バックライトないしはサイドライトに換えてフロントライトが使用される。
【図面の簡単な説明】
【００５１】
【図１】図１はＴＦＴ光センサの電圧−電流曲線の一例を示す図である。
【図２】図２はＴＦＴ光センサを使用した光検知部の回路図である。
【図３】図３は明るさが異なる場合の図２に示した回路図におけるコンデンサの両端の電圧−時間曲線を示す図である。
【図４】図４は本発明の実施例に係る液晶表示装置のカラーフィルタ基板を透視して表したアクティブマトリクス基板を模式的に示した平面図である。
【図５】図５は図４のＸ−Ｘ線で切断した断面図である。
【図６】図６は図４のＹ−Ｙ線で切断した断面図である。
【図７】図７は半透過型液晶表示装置のカラーフィルタ基板を透視して表した１画素分の平面図である。
【図８】図８はカラーフィルタ基板を含む図７のＡ−Ａ断面図である。
【図９】図９は光検知部の断面図である。
【図１０】図１０はバックライト制御手段のブロック図である。
【符号の説明】
【００５２】
１            （半透過型）液晶表示装置
１Ａ          バックライト制御手段
２            アクティブマトリクス基板
４            ゲート線
５            ソース線
７            アース線
８            接地用トランスファ電極
８ａ          コンタクト材
９            アース電極
１０１〜１０４  トランスファ電極
１０ａ        コンタクト材
１１          コモン線
１２          画素電極
２６          対向電極
３０          センサ制御部
３１          モード制御部
３２          閾値制御部
３３          比較部
３４          スイッチング部
３５          バックライト等
ＬＳ          光検知部
Ｓ、ＳＬ、ＳＳ  ソース電極
Ｇ、ＧＬ、ＧＳ  ゲート電極
Ｄ、ＤＬ、ＤＳ  ドレイン電極
ＳＷ          スイッチ素子
【図１】
2007102026.tif 000003
【図２】
2007102026.tif 000004
【図３】
2007102026.tif 000005
【図４】
2007102026.tif 000006
【図５】
2007102026.tif 000007
【図６】
2007102026.tif 000008
【図７】
2007102026.tif 000009
【図８】
2007102026.tif 000010
【図９】
2007102026.tif 000011
【図１０】
2007102026.tif 000012